(57)【要約】【課題】本発明はカード用コネクタに関し、低背化を図ることを課題とする。【解決手段】コンタクト部材１２０は、コンタクト部１２１よりも先端の箇所にシュー部１２３を有する。ハウジング本体１１１は、シュー部を摺動可能に支持するサポート部１１４ａを有する。カード１がハウジング本体内に挿入されてコンタクト部が押し下げられたときに、山形形状のコンタクト部が扁平となる方向に弾性変形し、シュー部１２３がサポート部１１４ａ上を摺動変位する。コンタクト部が押し下げられたときにコンタクト部材の先端が下方へ移動することが起きない。サポート部を適宜の高さの箇所に配置することによって、カード用コネクタの厚さを薄くすることが可能となる。【選択図】図５
2009129890.tif 000002
【特許請求の範囲】
【請求項１】
ハウジング本体と、前記ハウジング本体に整列して片持ち梁状に固定してあり、先端に山形形状のコンタクト部を有する複数のコンタクト部材を有し、カードが前記ハウジング本体内に挿入され、前記コンタクト部材を弾性的に撓ませて、前記カードのパッドが前記前記ンタクト部と接触される構成のカード用コネクタであって、
前記コンタクト部材は、前記コンタクト部よりも先端の箇所にシュー部を有し、
前記ハウジング本体は、前記シュー部を摺動可能に支持するサポート部を有し、
前記ハウジング本体内に挿入された前記カードによって前記コンタクト部が押しつけられたときに、山形形状のコンタクト部が扁平となる方向に弾性変形し、前記シュー部が前記サポート部上を摺動変位するカード用コネクタ。
【請求項２】
前記サポート部は、前記シュー部と嵌合し、前記シュー部の摺動を案内する案内部を有する請求項１に記載のカード用コネクタ。
【請求項３】
前記案内部は、前記サポート部に形成してあり、前記シュー部が嵌合する貫通孔である請求項２に記載のカード用コネクタ。
【発明の詳細な説明】
【技術分野】
【０００１】
本発明はカード用コネクタに係り、特に、携帯電話機等に組み込まれて使用され、メモリカードが装着されるカード用コネクタに関する。
【背景技術】
【０００２】
ディジタルカメラ、携帯オーディオ機器、携帯電話機等は、情報記憶媒体として、半導体記憶素子が内蔵してある構成のメモリカードが利用可能な構造となっている。最近では通常のメモリカードよりの小さいサイズであるメモリカードが提供されており、この小型のメモリカードが装着可能であるメモリカード用コネクタも提供されている。
【０００３】
この小型のメモリカード用コネクタは、特に携帯電話機に組み込まれて使用されつつある。このため、小型メモリカード用コネクタは、低背であることが求められている。
【０００４】
図１は従来のマイクロＳＤカード（商標）用のコネクタ１０を、カバーを省略して、且つマイクロＳＤカード（商標、以下カードという）１と対応させて示す斜視図である。図中、Ｘ１−Ｘ２は幅方向、Ｙ１−Ｙ２は長手方向、Ｚ１−Ｚ２は厚さ（高さ）方向である。Ｙ１はカード１を挿入して装着する方向である。
【０００５】
図２及び図３はカード用コネクタ１０の断面図であり、図２はカード１が最終挿入位置の直前の位置まで挿入されたときの状態、図３はカード１が最終挿入位置まで挿入されて装着されたときの状態を示す。
【０００６】
カード１は、上面２、下面３、先端４、後端５を有し、内部にＩＣメモリ（図示せず）を有し、先端３の近くの下面にパッド６が並んでいる形状である。
【０００７】
カード用コネクタ１０は、複数のコンタクト部材２０が整列して固定されている合成樹脂製のハウジング本体１１と、ハウジング本体１１の上面側を覆うカバー３０とを有する。ハウジング本体１１内のＸ１側の部分には、カードイジェクト機構（図示せず）が設けてある。Ｙ２側には、カード挿入口４０を有する。
【０００８】
ハウジング本体１１は、略四角の枠形状であり、Ｙ１側の横桟１２、Ｙ２側の横桟１３、及び中央の横桟１４を有し、横桟の間の部分は開口１５，１６となっている。
【０００９】
コンタクト部材２０は、前記パッド６の並びに対応した配置で、横桟１２を貫通して固定されており、ハウジング本体１１の内側に延在しており、片持ち梁形状であり、先端側に、山形形状のコンタクト部２１を有する。コンタクト部２１は開口１５に対応した位置に位置している。また、コンタクト部材２０は、ハウジング本体１１より外側に延在しているリード部２２を有する。
【００１０】
カード用コネクタ１０は、図２に示すように、リード部２２をプリント回路基板５０上のパッドに半田付けされて且つハウジング本体１１をプリント回路基板５０に固定されて、プリント回路基板５０上に固定してある。コンタクト部２１の先端部２２はプリント回路基板５０に対向している。
【００１１】
カード１はカード挿入口４０よりＹ１方向に挿入されて、図２に示す状態となり、この図２に示す状態から最終挿入位置にまで挿入される過程で、カード１の先端部がコンタクト部２１を押し下げ、コンタクト部材２０を弾性的に撓ませ、パッド６がコンタクト部２１と接触して、図３に示すように装着される。コンタクト部２１の先端部２２はＺ２方向へ移動する。カード用コネクタの高さ寸法を増やさないでコンタクト部２１の先端部２２のＺ２方向の移動量をかせぐために、ハウジング本体１１は、先端部２２の真下の箇所が開口１５としてある。
【発明の開示】
【発明が解決しようとする課題】
【００１２】
ここで、カード１のカード用コネクタ１０との電気的接続を確実にするにはコンタクト部２１とパッド６とを所定の接触圧とすることが必要となり、このためには、コンタクト部２１のＺ２方向の移動量Ａを例えば０．５ｍｍ程度とする必要がある。
【００１３】
また、コンタクト部２１の先端部２２がプリント回路基板５０と接触するとコンタクト部２１がプリント回路基板５０と干渉することになるので、コンタクト部２１がＺ２方向へ最大に移動したときに先端部２２がプリント回路基板５０と接触しないようにすることが必要である。図３に示すように、コンタクト部２１の先端部２２とプリント回路基板５０との間に僅かな隙間３０が存在する。このため、コンタクト部２１の先端部２２とプリント回路基板５０（カード用コネクタ１０の底面）との間の距離Ｂは、前記の移動量Ａより若干長くしてある。Ｂ＞Ａである。コンタクト部２１の頂部とプリント回路基板５０（カード用コネクタ１０の底面）との間の距離はＣ１である。
【００１４】
これらの制約を受けることによって、カード用コネクタ１０の高さ寸法はＨ１となっており、それ以上の低背化は困難であった。
【００１５】
なお、コンタクト部２１の高さ位置がＨＰ０であり、カード用コネクタ１０の底面の高さ位置がＨＰ１である。
【００１６】
なお、コンタクト部のパッドへの接触圧はコンタクト部２１の高さ位置で決まり、各カード用コネクタにおいてコンタクト部のパッドへの接触圧は一定であるので、上記のカード用コネクタ１０と、後述するカード用コネクタ１１０，１１０Ａとの厚さを比較する場合には、コンタクト部の高さ位置がＨＰ０を基準に検討することとする。
【００１７】
そこで、本発明は、上記課題を解決したカード用コネクタを提供することを目的とする。
【課題を解決するための手段】
【００１８】
本発明は、ハウジング本体と、前記ハウジング本体に整列して片持ち梁状に固定してあり、先端に山形形状のコンタクト部を有する複数のコンタクト部材を有し、カードが前記ハウジング本体内に挿入され、前記コンタクト部材を弾性的に撓ませて、前記カードのパッドが前記前記ンタクト部と接触される構成のカード用コネクタであって、
前記コンタクト部材は、前記コンタクト部よりも先端の箇所にシュー部を有し、
前記ハウジング本体は、前記シュー部を摺動可能に支持するサポート部を有し、
前記ハウジング本体内に挿入された前記カードによって前記コンタクト部が押しつけられたときに、山形形状のコンタクト部が扁平となる方向に弾性変形し、前記シュー部が前記サポート部上を摺動変位することを特徴とする。
【発明の効果】
【００１９】
カードが前記ハウジング本体内に挿入されてコンタクト部が押しつけられたときに、山形形状のコンタクト部が扁平となる方向に弾性変形し、シュー部がサポート部上を摺動変位することによって、コンタクト部が押し下げられたときにコンタクト部材の先端が下方へ移動することが起きず、サポート部を適宜の高さの箇所に配置することによって、カード用コネクタの厚さを薄くすることが出来る。
【発明を実施するための最良の形態】
【００２０】
次に発明を実施するための最良の形態について説明する。
【実施例１】
【００２１】
図４は本発明の実施例１になるマイクロＳＤカード（商標）用のコネクタ１１０を、カバーを省略して、且つマイクロＳＤカード（商標、以下カードという）１と対応させて示す斜視図である。図中、Ｘ１−Ｘ２は幅方向、Ｙ１−Ｙ２は長手方向、Ｚ１−Ｚ２は厚さ（高さ）方向である。Ｙ１はカード１を挿入して装着する方向である。
【００２２】
図５及び図６はカード用コネクタ１１０の断面図であり、図５はカード１が最終挿入位置の直前の位置まで挿入されたときの状態、図６はカード１が最終挿入位置まで挿入されて装着されたときの状態を示す。
【００２３】
カード用コネクタ１１０は、複数のコンタクト部材１２０が整列して固定されている合成樹脂製のハウジング本体１１１と、ハウジング本体１１１の上面側を覆うカバー１３０とを有する。ハウジング本体１１１内のＸ１側の部分には、カードイジェクト機構（図示せず）が設けてある。Ｙ２側には、カード挿入口１４０を有する。
【００２４】
ハウジング本体１１１は、略四角の枠形状であり、Ｙ２側の横桟１１２、Ｙ１側の横桟１３、及び中央の横桟１１４を有し、隣り合う横桟の間は開口１１５，１１６となっている。ハウジング本体１１１にはカード１が挿入される。
【００２５】
横桟１１４は、そのＺ２側よりＹ１方向に張り出た薄い板状のサポート部１１４ａを有する。サポート部１１４ａの厚さｔは、コンタクト部１２１のＺ２方向の移動量Ａよりも相当に短い。サポート部１１４ａは薄くても、カード用コネクタ１１０がプリント回路基板５０上に実装された状態ではプリント回路基板５０の上面に当接しているため、シュー部１２３によってＺ２方向の力が作用しても反りは起きない。
【００２６】
コンタクト部材１２０は、前記パッド６の並びに対応した配置で、横桟１１３を貫通して固定されており、ハウジング本体１１１の内側にＹ２方向に延在しており、片持ち梁形状であり、先端側に、開き角度がα１０である山形形状のコンタクト部１２１を有し、更に、コンタクト部１２１の先端である最先端にシュー部１２３を有する。
【００２７】
コンタクト部１２１は高さ位置ＨＰ０に位置している。
【００２８】
コンタクト部１２１のうちＹ２側の斜辺部１２１ａがコンタクト部１２１の頂上部を通る水平面となす角度はβ１０である。α１０は、図２中の角度α１より大きく、β１０はβ１より小さい。α１０＞α１であり、β１０＜β１である。
【００２９】
シュー部１２３はＹ２方向に延在しており、前記のサポート部１１４ａ上に載っている。シュー部１２３の先端と横桟１１４の側面との間には、距離Ｅの余裕があり、シュー部１２３はサポート部１１４ａ上をＹ２方向に摺動可能である。前記の開き角度α１０は、コンタクト部１２１にＺ２方向に作用する力が、シュー部１２３の箇所ではＹ２方向に作用するような角度としてある。
【００３０】
また、コンタクト部材１２０は、ハウジング本体１１より外側に延在しているリード部１２２を有する。
【００３１】
サポート部１１４ａは従来のカード用コネクタ１０の底面の高さ位置ＨＰ１よりも少し高い高さ位置ＨＰ１０に配置してある。コンタクト部２１の頂部とプリント回路基板５０（カード用コネクタ１０の底面）との間の距離はＣ１０であり、図２中の距離Ｃ１よりも短い。よって、カード用コネクタ１１０の高さはＨ１０であり、Ｈ１０＜Ｈ１であり、従来よりも低背である。
【００３２】
カード用コネクタ１１０は、図５に示すように、リード部１２２をプリント回路基板５０上のパッドに半田付けされて且つハウジング本体１１１をプリント回路基板５０に固定されて、プリント回路基板５０上に固定してある。
【００３３】
カード１がカード挿入口１４０よりＹ１方向に挿入されると、図５に示す状態となり、この状態から最終挿入位置にまで挿入される過程で、カード１の先端部がコンタクト部１２１を押し下げ、コンタクト部材２０を弾性的に撓ませ、パッド６がコンタクト部２１と接触して、図６に示すように装着される。ここで、β１０＜β１であるため、カード１の先端部は斜辺部１２１ａに円滑に乗り上げ、コンタクト部材１２０に作用するＹ１方向の力は弱く、コンタクト部材１２０に座屈は起きない。コンタクト部１２１のＺ２方向の移動量Ａは従来と同じく０．５ｍｍ程度である。
【００３４】
ここで、コンタクト部１２１がＺ２方向へ０．５ｍｍ程度の移動するときの、コンタクト部材１２０の先端の部分の動作について説明する。
【００３５】
コンタクト部１２１がＺ２方向へ押しつけられると、シュー部１２３が、サポート部１１４ａ上をＹ２方向に、即ち、コンタクト部材１２０の長さが長くなる方向に、摺動変位しつつ、コンタクト部１２１は、開き角度がα１０より増して１８０度に近いα１１となるように、即ち、扁平となる方向に、弾性変形する。コンタクト部１２１の開き角度がα１０にすぼまる方向の弾性力が、シュー部１２３がサポート部１１４ａで拘束されていることによって、コンタクト部１２１をＺ１方向に変位させる弾性力として作用し、コンタクト部１２１のパッド６への接触圧は所望の接触圧となり、カード１のカード用コネクタ１１０との電気的接続は確実となっている。
【００３６】
上記のように、コンタクト部１２１のＺ２方向への変位が、シュー部１２３ではＹ２方向に変換されていることによって、カード用コネクタ１１０は従来よりも低背となっている。
【００３７】
なお、中央の横桟１１４は、独立した部材を、ハウジング本体１１１に横架して固定した構成でもよい。
【実施例２】
【００３８】
図７、図８、図９は本発明の実施例２になるカード用コネクタ１１０Ａを示す。このカード用コネクタ１１０Ａは、前記の実施例１になるカード用コネクタ１１０とは、横桟１１４Ａの箇所が相違する。
【００３９】
横桟１１４Ａは、図１０に示すように独立した部材であり、サポート部１１４Ａａを有し、且つ、案内部としての複数の貫通孔１１４Ａｂを有する。図８に併せて示すように、この貫通孔１１４Ａｂは横桟１１４Ａを横切る方向に、コンタクト部材１２０のシュー部１２３の並びに対応した配置で形成してあり、且つ、シュー部１２３の断面に対応したスリット状の断面を有する。貫通孔１１４Ａｂの底面１１４Ａｃは、サポート部１１４Ａａの面と同じ高さにあり、サポート部１１４Ａａの面を延長した面である。
【００４０】
また、横桟１１４Ａは、その両端の鍵形状の突起部１１４Ａｄ、１１４Ａｅを、ハウジング本体１１１の対応する凹部に嵌合させて横架して固定してある。
【００４１】
図８に示すように、コンタクト部材１２０のシュー部１２３は貫通孔１１４Ａｂに嵌合してあり底面１１４Ａｃ上に載っている。
【００４２】
カード１が挿入されて装着されるときに、コンタクト部１２１がＺ２方向へ押されると、シュー部１２３は底面１１４Ａｃ上を摺動して貫通孔１１４Ａｂに案内されつつこの奥に進入して、図９に示すようになる。
【００４３】
各コンタクト部材１２０は先端のシュー部１２３をＸ１−Ｘ２方向については自由に動くことを拘束されているので、コンタクト部１２２の位置は精度よく維持される。
【００４４】
上記のように、コンタクト部１２１のＺ２方向への変位が、シュー部１２３ではＹ２方向に変換されていることによって、カード用コネクタ１１０Ａも前記のカード用コネクタ１１０と同様に高さはＨ１０であり、従来よりも低背である。
【００４５】
なお、横桟１１４Ａは、ハウジング本体１１１と一体でもよい。
【００４６】
なお、本発明の構造は、マイクロＳＤカード（商標）よりも大きいサイズのカード用のコネクタにも適用が可能である。
【００４７】
また、コンタクト部材１２０は、カードの挿入口の側が固定であり、奥側が自由端である構成でもよい。
【図面の簡単な説明】
【００４８】
【図１】従来のカード用コネクタを、カバーを省略して、且つカードと併せて示す斜視図である。
【図２】図１のカード用コネクタの縦断側面図である。
【図３】カードが装着された状態のカード用コネクタを示す図である。
【図４】本発明の実施例１になるカード用コネクタを、カバーを省略して、且つカードと併せて示す斜視図である。
【図５】図４のカード用コネクタの縦断側面図である。
【図６】カードが装着された状態のカード用コネクタを示す図である。
【図７】本発明の実施例２になるカード用コネクタを、カバーを省略して、且つカードと併せて示す斜視図である。
【図８】図７のカード用コネクタの縦断側面図である。
【図９】カードが装着された状態のカード用コネクタを示す図である。
【図１０】ハウジング本体の一部を示す図である。
【符号の説明】
【００４９】
１  カード
６  パッド
１１０，１１０Ａ  カード用コネクタ
１１１、１１１Ａ  ハウジング本体
１１４、１１４Ａ  横桟
１１４ａ、１１４Ａａ  サポート部
１１４Ａｂ  貫通孔
１１４Ａｃ  底面
１２０  コンタクト部材
１２１  コンタクト部
１２３  シュー部
１３０  カバー
１４０  カード挿入口
【図１】
2009129890.tif 000003
【図２】
2009129890.tif 000004
【図３】
2009129890.tif 000005
【図４】
2009129890.tif 000006
【図５】
2009129890.tif 000007
【図６】
2009129890.tif 000008
【図７】
2009129890.tif 000009
【図８】
2009129890.tif 000010
【図９】
2009129890.tif 000011
【図１０】
2009129890.tif 000012